(57)【特許請求の範囲】
【請求項１】
手術部位上で手術を行う際に使用するための電気手術用道具であって、前記電気手術用道具は、
後端と前端と前記前端から筐体の中へ延在する伸長通路とを有する伸長非伝導性筐体と、
電気手術を行うための伸長電極であって、前記電極は、前記伸長通路内に搭載され、かつ、その中で摺動可能であり、前記電極は、前記筐体から突出する動作前方区分と、絶縁中央区分と、非絶縁後方区分とを有し、前記電極の位置は、後退位置と複数の拡張位置のうちの選択された１つとの間で、ユーザによってその長手方向で調整可能である、伸長電極と、
前記電極の前記後方区分上に搭載され、かつ、それとともに摺動可能である導電性部材と、
前記電極の片側に隣接し、かつ、それと平行に前記伸長通路内に固定して搭載された伸長伝導ストリップであって、前記ストリップは、前記伝導ストリップに対して摺動可能である前記導電性部材と電気的に接触するように前記筐体によって支持される、伸長伝導ストリップと、
前記電極の電気的動作を制御するための電気回路基板であって、前記回路基板は、前記筐体内に搭載され、前記伝導ストリップに接続され、電源に接続可能である、電気回路基板と
を備え、
前記道具の使用中に、前記回路基板は、前記伝導ストリップを通して、前記電極の前記後退位置および前記複数の拡張位置のうちのいずれか１つにおける前記電極に電流を提供することができる、電気手術用道具。
【請求項２】
前記導電性部材は、摩擦嵌合を用いて前記電極上に着脱可能に搭載された分割金属スリーブである、請求項１に記載の電気手術用道具。
【請求項３】
前記電気回路基板は、溶接によって前記伝導ストリップに堅く取り付けられ、前記伝導ストリップは、離間突起によって前記伸長通路内に堅く保持され、前記離間突起は、前記筐体中に一体的に形成され、かつ、前記伝導ストリップの頂面および底面を係合する、請求項１または請求項２に記載の電気手術用道具。
【請求項４】
前記導電性部材は、その１つの外部側面に沿って形成された少なくとも１つの長手方向フランジを有し、前記筐体は、前記伸長通路に沿って形成された一体横リブを有し、一連のスロットは、前記横リブにそれぞれ形成され、前記少なくとも１つの長手方向フランジを受容し、それによって、それらの長手軸の周囲で前記導電性部材および前記電極の回転を防止する、請求項１または請求項２に記載の電気手術用道具。
【請求項５】
少なくとも前記スロットの領域中の前記横リブは、前記伸長通路内の前記電極の摺動移動を促進するように、丸みを帯びた縁または面取りした縁を伴って形成される、請求項４に記載の電気手術用道具。
【請求項６】
前記筐体は、剛性プラスチック材料で成形された２つの半区分で作製され、前記半区分の内側の前記電極、その導電性部材、前記伝導ストリップ、前記回路基板を搭載した後に、相互に恒久的に結合される、請求項１〜５のいずれか１項に記載の電気手術用道具。
【請求項７】
絶縁電線は、前記回路基板の後端に接続され、前記絶縁電線は、前記筐体の前記後端まで延在する、請求項１〜６のいずれか１項に記載の電気手術用道具。
【請求項８】
手術部位上で手術を行う際に使用するための電気手術用道具であって、前記電気手術用道具は、
後端と前端と前記前端内の開口部から前記後端に向かって筐体を通って延在する伸長通路とを有する伸長筐体と、
電気手術を行うための伸長電極であって、前記電極は、少なくとも１０ｃｍの長さを有し、かつ、前記通路内に摺動可能に搭載され、前記電極は、前記筐体の前端から突出する非絶縁前方区分と、前記前方区分から後方に延在する絶縁主要区分とを有する、伸長電極と、
前記電極の電気的動作を制御するための電気回路基板であって、前記回路基板は、前記筐体内の前記電極の片側に搭載され、前記回路基板は、電力を前記回路基板に提供するためにそれに接続される絶縁線を有する、電気回路基板と、
前記回路基板の底部に溶接またははんだ付けされ、前記電極の片側に沿って、それと平行に延在する、伸長導体であって、前記回路基板から後方に延在し、前記筐体の外面から電気的に絶縁される、伸長導体と、
を備え、
前記道具の使用中に、前記回路基板は、前記電極が前記筐体の中へ後退させられるときと、前記電極が複数の可能な拡張位置のうちのいずれか１つにあるときとの両方において、前記伸長導体を通して電力を前記電極に提供することができる、電気手術用道具。
【請求項９】
前記伸長筐体は、プラスチック材料で成形され、ともに溶接された上部および底部半区分から作製され、前記底部半区分は、中央電極受容溝を伴って形成される一連の離間横リブを内部に伴って形成され、前記電極は、前記溝内に搭載され、そしてその中で前記筐体の長手方向に摺動可能である、請求項８に記載の電気手術用道具。
【請求項１０】
前記電極は、前記電極の後方区分上に着脱可能に搭載された導電性スリーブを有し、前記スリーブは、摩擦嵌合によって前記後方区分上に保持され、かつ、前記伸長導体と電気的に接触している、請求項９に記載の電気手術用道具。
【請求項１１】
前記スリーブは、その１つの外側に沿って形成された２つの隣接する長手方向フランジを有し、前記横リブは、前記長手方向フランジを受容し、それによって、その長手軸の周囲で前記電極の回転を防止するように、スロットを形成する、請求項１０に記載の電気手術用道具。
【請求項１２】
使い捨てであり、１人の患者に対し１回の使用のために作製される、請求項８〜１１のいずれか１項に記載の電気手術用道具。
【請求項１３】
前記前端に隣接して前記筐体内に搭載されたゴムまたはゴム様摩擦リングを含み、前記摩擦リングは、前記電極の周囲で密着して延在し、その長さ方向へ前記電極を移動させるために前記電極に印加される十分な力が存在しない場合に選択された位置で前記電極を保持するように作用する、請求項８〜１２のいずれか１項に記載の電気手術用道具。
【請求項１４】
前記筐体の前端区分に形成されるリング受容空洞内に搭載された２つのゴムまたはゴム様摩擦リングを含み、前記リングは、前記電極の周囲で密着して延在し、選択された位置で前記電極を保持するように作用する、請求項８〜１２のいずれか１項に記載の電気手術用道具。
【請求項１５】
手術を行う際に使用するための電気手術用ペンシルを製造する方法であって、前記方法は、
前端と後端と前記前端から長さ方向に延在する伸長通路とを有するプラスチックペンシル筐体の組立のために、上部半区分および底部半区分を提供することと、
前記ペンシルの電気的動作を制御するための電気回路基板と、前記回路基板の少なくとも１つの端部から延在するよう前記回路基板の底部に固定して接続される伸長伝導ストリップとを提供することと、
前記１つの半区分に対する摺動移動のために、前記２つの半区分のうちの１つの中に電気手術を行うための伸長電極を搭載することであって、前記伸長電極は、動作前方区分と絶縁中央区分と非絶縁後方区分とを有する、ことと、
前記回路基板が前記上部半区分内に位置し、前記伝導ストリップが前記電極の片側に沿って延在し、かつ、その隣にあるように、前記底部半区分上に前記上部半区分を搭載することであって、前記伝導ストリップは、前記電極の前記後方区分と電気的に接触している、ことと、
前記電極が前記通路から外へ突出するように、前記筐体およびその前端が開放している前記通路を形成するように、前記上部半区分および前記底部半区分をともに恒久的に結合することと
を含む、方法。
【請求項１６】
前記回路基板は、前記回路基板の後端に接続される絶縁電線を有し、前記電線は、前記ペンシル筐体の前記半区分のうちの少なくとも１つの後端に形成された後開口部を通って延在する、請求項１５に記載の電気手術用ペンシルを製造する方法。
【請求項１７】
前記回路基板を操作するためのロッカースイッチは、前記上部半区分が前記底部半区分に結合された後に、前記上部半区分上に搭載される、請求項１５または請求項１６に記載の製造方法。
【請求項１８】
前記ペンシル筐体用の前記底部半区分は、一連の離間横リブを伴って形成され、そのうちの少なくともいくつかは、前記電極を受容し、前記伸長通路内で前記電極の摺動移動を誘導するように、整列された溝を伴って形成される、請求項１５〜１７のいずれか１項に記載の製造方法。
【請求項１９】
前記電極を搭載することに先立って、金属伝導スリーブが、前記電極の前記後方区分上で摺動され、摩擦嵌合によってその上に保持される、請求項１５〜１８のいずれか１項に記載の製造方法。
【発明の詳細な説明】
【技術分野】
【０００１】
本発明は、手術部位上で手術を行う際に使用するための電気手術用道具に関し、具体的には、外科医によって片手で握ることができ、かつ好適な電源に接続することができる、電気手術用ペンシルに関する。
【背景技術】
【０００２】
電気手術は、電気手術用発電機によって提供することができる電気エネルギーを使用して、組織を切断するか、出血を凝固させるか、またはそれらの組み合わせを達成するために使用することができる。操作のためのエネルギーは、外科医によって、ハンドピース内に保持されるブレード電極を通して組織に印加される。エネルギーを印加するために、電気手術用（ＥＳＵ）ペンシルは、ハンドピース上に位置することができるスイッチを押すことによって、外科医によって起動される。単一の指スイッチが使用される場合、スイッチが、切断を達成するように、あるレベルのエネルギーを提供するための１つの位置を有してもよい一方で、スイッチの異なる位置は、凝固を達成するように異なるエネルギー波形を供給する。電気手術用ペンシルは、１回の手術にのみ使用される使い捨てユニットとして構築することができる。
【０００３】
Ｒ．Ｊ．Ｐｏｄｈａｊｓｋｙらによる公開米国出願第２００７／０２６０２３９号は、可変制御を有する電気手術用ペンシルを記載している。ペンシルは、筐体内で支持され、その前端から遠位に延在する電気焼灼ブレードを伴う伸長筐体を含む。このペンシルは、筐体上で支持される起動ボタンを有する。筐体は、交換用ブレードを受容することができる、その前端に位置するブレードレセプタクルを有する。ペンシルは、ペンシルの後端に取り付けられたケーブルを介して従来の発電機に連結される。
【０００４】
１９７７年５月６日にＧ．Ａ．Ｈａｒｒｉｓに発行された米国特許番号第５，６２６，５７７号は、取り付けられたコードからの電流を選択的に制御するように少なくとも１つの作動ボタンが上にある、非伝導性主要筐体を有する、ＥＳＵ道具またはペンシルを記載している。筐体は、開放前端から延在する伸長開口または通路を中に形成する。電極筐体が、主要筐体内に搭載され、これは、使い捨てまたは再利用可能のいずれかであると言われる、比較的短い電極を密接に受容する。導電性材料が、電極のための電気接続を提供するように、電極筐体の内部通路を包囲する。また、主要筐体の中央の下で延在し、非伝導性絶縁スリーブで覆われる電極筐体の支柱端内に受容される、伸長伝導性柱もある。電極筐体は、主要筐体に関して電極筐体の位置への調整を可能にするように、伝導性柱上で摺動することができる。
【０００５】
２００３年５月８日付けの公開米国出願第２００３／００８８２４７号は、ハンドルおよび主要本体部分内で画定されるワイヤ保持通路を形成する主要本体部分を伴う、ＥＳＵペンシルを記載している。主要本体の前端内には、電極先端が搭載される、電極受容開口部がある。電極の使用は、筐体の最上部上に搭載され、かつ小型回路基板上に搭載される、単極双投ロッカー型電気スイッチによって制御される。絶縁ワイヤが、後方開口部を通って筐体のワイヤ保持通路に進入し、スイッチの１つの端子に接続される。
【先行技術文献】
【特許文献】
【０００６】
【特許文献１】米国特許出願公開第２００７／０２６０２３９号明細書
【特許文献２】米国特許番号第５，６２６，５７７号明細書
【特許文献３】米国特許出願公開第２００３／００８８２４７号明細書
【発明の概要】
【発明が解決しようとする課題】
【０００７】
道具が使い捨てであり得るように妥当な費用で作製することができ、また、外科手術の経過中に後退位置からいくつかの拡張位置のうちのいずれか１つへ移動させることができるように、伸長電極がその長手方向に調整されることも可能にする、手術を行う際に使用するための改良型電気手術用道具の必要性がある。
【課題を解決するための手段】
【０００８】
本開示の一実施形態によると、手術部位上で手術を行う際に使用するための電気手術用道具は、後端、前端、および前端から筐体の中へ延在する伸長通路を有する、伸長非伝導性筐体を含む。電気手術を行うための伸長電極が、伸長通路内に搭載され、その中で摺動可能である。電極は、筐体から突出する動作前方区分、絶縁中央区分、および非絶縁後方区分を有し、電極の位置は、後退位置と複数の拡張位置のうちの選択された１つとの間で、ユーザによってその長手方向に調整可能である。導電性部材が、電極の後方区分上に搭載され、その中で摺動可能である。伸長伝導ストリップが、電極の片側に隣接し、それと平行に、伸長通路内に固定して搭載される。本ストリップは、伝導ストリップに対して摺動可能である導電性部材と電気的に接触するように、筐体によって支持される。本道具はさらに、電極の電気的動作を制御するための電気回路基板を含み、本回路基板は、筐体内に搭載され、伝導ストリップに接続され、電源に接続可能である。道具の使用中に、回路基板は、伝導ストリップを通して、後退位置および電極の拡張位置のうちのいずれか１つにおける電極に電流を提供することができる。
【０００９】
本道具の例示的バージョンでは、導電性部材は、摩擦嵌合を用いて電極上に着脱可能に搭載される分割金属スリーブである。
【００１０】
手術を行う際に使用するための本電気手術用道具の別の実施形態によると、本道具は、後端、前端、および前端内の開口部から後端に向かって筐体を通って延在する伸長通路を有する、伸長筐体を含む。電気手術を行うための伸長電極は、少なくとも１０ｃｍの長さを有し、通路内に摺動可能に搭載される。電極は、筐体の前端から突出する非絶縁前方区分と、前方区分から後方に延在する絶縁主要区分とを有する。電気回路基板が、電極の電気的動作を制御するように提供され、筐体内で電極の片側に搭載される。回路基板は、電力を回路基板に提供するためにそれに接続される、絶縁ワイヤを有する。伸長導体が、回路基板の底部に固定して取り付けられ、電極の片側に沿って、それと平行に延在する。本導体は、回路基板から後方に延在し、筐体の外面から電気的に絶縁される。道具の使用中に、回路基板は、電極が筐体の中へ後退させられるときと、電極が複数の可能な拡張位置のうちのいずれか１つにあるときとの両方において、伸長導体を通して電力を電極に提供することができる。
【００１１】
本道具の例示的バージョンでは、伸長筐体は、プラスチック材料で成形され、ともに溶接された上部および底部半区分から作製される。底部半区分は、中央電極受容溝を伴って形成される一連の離間横リブを内部に伴って形成される。電極は、これらの溝内に搭載され、その中で筐体の長手方向へ摺動可能である。
【００１２】
本開示のさらなる側面によると、手術を行う際に使用するための電気手術ペンシルを製造するための方法が提供される。本方法は、前端および後端ならびに前端から長さ方向に延在する伸長通路を有する、プラスチックペンシル筐体の組立のために、上部および底部半区分を提供するステップを含む。また、電気回路基板が、ペンシルの電気的動作を制御するために提供され、伸長伝導ストリップが、回路基板の少なくとも１つの端部から延在するように、回路基板の底部に固定して接続される。電気手術を行うための伸長電極が、１つの半区分に対する摺動移動のために、２つの半区分のうちの１つの中に搭載される。伸長電極は、動作前方区分、絶縁中央区分、および非絶縁後方区分を有する。上部半区分は、回路基板が上部半区分内に位置し、伝導ストリップが電極の片側に沿って延在し、かつその隣にあるように、底部半区分上に搭載される。伝導ストリップは、電極の後方区分と電気的に接触している。次いで、上部および底部半区分は、筐体、および電極が通路から外へ突出するようにその前端で開放している通路を形成するように、ともに恒久的に結合される。
【００１３】
本方法の例示的バージョンでは、回路基板は、その後端に接続される絶縁電線を有し、本電線は、半区分の後端に形成される後開口部を通って延在する。
【００１４】
本開示の電気手術用道具またはペンシルのさらなる特徴および利点が、添付図面と併せて解釈される以下の詳細な説明から明白となるであろう。
例えば本願は以下の項目を提供する。
（項目１）
手術部位上で手術を行う際に使用するための電気手術用道具であって、
後端、前端、および前記前端から筐体の中へ延在する伸長通路を有する、伸長非伝導性筐体と、
前記伸長通路内に搭載され、その中で摺動可能である、電気手術を行うための伸長電極であって、前記電極は、前記筐体から突出する動作前方区分、絶縁中央区分、および非絶縁後方区分を有し、前記電極の位置は、後退位置と複数の拡張位置のうちの選択された１つとの間で、ユーザによってその長手方向で調整可能である、電極と、
前記電極の前記後方区分上に搭載され、それとともに摺動可能である、導電性部材と、
前記電極の片側に隣接し、かつそれと平行に、前記伸長通路内に固定して搭載される伸長伝導ストリップであって、前記伝導ストリップに対して摺動可能である前記導電性部材と電気的に接触するよう、前記筐体によって支持される、ストリップと、
前記電極の電気的動作を制御するための電気回路基板であって、前記筐体内に搭載され、前記伝導ストリップに接続され、電源に接続可能である、回路基板と、
を備え、
前記道具の使用中に、前記回路基板は、前記伝導ストリップを通して、前記電極の前記後退位置および前記拡張位置のうちのいずれか１つにおける前記電極に電流を提供することができる、電気手術用道具。
（項目２）
前記導電性部材は、摩擦嵌合を用いて前記電極上に着脱可能に搭載される分割金属スリーブである、項目１に記載の電気手術用道具。
（項目３）
前記電気回路基板は、溶接によって前記伝導ストリップに堅く取り付けられ、前記伝導ストリップは、前記筐体中に一体的に形成され、前記伝導ストリップの頂面および底面を係合する離間突起によって前記伸長通路内に堅く保持される、項目１または２に記載の電気手術用道具。
（項目４）
前記導電性部材は、その１つの外部側面に沿って形成される、少なくとも１つの長手方向フランジを有し、前記筐体は、前記伸長通路に沿って形成される、一体横リブを有し、一連のスロットは、前記横リブにそれぞれ形成され、前記少なくとも１つの長手方向フランジを受容し、それによって、それらの長手軸の周囲で前記導電性部材および前記電極の回転を防止する、項目１または２のいずれかに記載の電気手術用道具。
（項目５）
少なくとも前記スロットの領域中の前記横リブは、前記伸長通路内の前記電極の摺動移動を促進するように、丸みを帯びた、または面取りした縁を伴って形成される、項目４に記載の電気手術用道具。
（項目６）
前記筐体は、剛性プラスチック材料で成形された２つの半区分で作製され、前記半区分の内側の前記電極、その導電性部材、前記伝導ストリップ、および前記回路基板の搭載後に、相互に恒久的に結合される、項目１〜５のいずれか１項に記載の電気手術用道具。
（項目７）
前記回路基板は、その１つの端部に搭載され、前記筐体の前記後端から延在する絶縁電線に接続される、ワイヤコネクタを有する、項目１〜６のいずれか１項に記載の電気手術用道具。
（項目８）
手術部位上で手術を行う際に使用するための電気手術用道具であって、
後端、前端、および前記前端内の開口部から前記後端に向かって筐体を通って延在する伸長通路を有する、伸長筐体と、
前記通路内に摺動可能に搭載される、少なくとも１０ｃｍの長さを有する電気手術を行うための伸長電極であって、前記筐体の前端から突出する非絶縁前方区分、および前記前方区分から後方に延在する絶縁主要区分を有する、電極と、
前記筐体内の前記電極の片側に搭載される、前記電極の電気的動作を制御するための電気回路基板であって、電力を前記回路基板に提供するためにそれに接続される絶縁線を有する、回路基板と、
前記回路基板の底部に溶接またははんだ付けされ、前記電極の片側に沿って、それと平行に延在する、伸長導体であって、前記回路基板から後方に延在し、前記筐体の外面から電気的に絶縁される、導体と、
を備え、
前記道具の使用中に、前記回路基板は、前記電極が前記筐体の中へ後退させられるときと、前記電極が複数の可能な拡張位置のうちのいずれか１つにあるときとの両方において、前記伸長導体を通して電力を前記電極に提供することができる、道具。
（項目９）
前記伸長筐体は、プラスチック材料で成形され、ともに溶接された上部および底部半区分から作製され、前記底部半区分は、中央電極受容溝を伴って形成される一連の離間横リブを内部に伴って形成され、前記電極は、前記溝内に搭載され、そしてその中で前記筐体の長手方向に摺動可能である、項目８に記載の電気手術用道具。
（項目１０）
前記電極は、前記電極の後方区分上に着脱可能に搭載される、導電性スリーブを有し、前記スリーブは、摩擦嵌合によって前記後方区分上に保持され、前記伸長導体と電気的に接触している、項目９に記載の電気手術用道具。
（項目１１）
前記スリーブは、その１つの外側に沿って形成される、２つの隣接する長手方向フランジを有し、前記横リブは、前記長手方向フランジを受容し、それによって、その長手軸の周囲で前記電極の回転を防止するように、スロットを形成する、項目１０に記載の電気手術用道具。
（項目１２）
使い捨てであり、１人の患者に対し１回の使用のために作製される、項目８〜１１のいずれか１項に記載の電気手術用道具。
（項目１３）
前記伸長導体は、前記筐体内に保持され、前記伸長導体の下方に位置する前記横リブのうちの少なくともいくつかによって支持することができる、項目９または１０に記載の電気手術用道具。
（項目１４）
前記前端に隣接して前記筐体内に搭載される、ゴムまたはゴム様摩擦リングを含み、前記摩擦リングは、前記電極の周囲で密着して延在し、その長さ方向へ前記電極を移動させるために前記電極に印加される十分な力が存在しない場合に選択された位置で前記電極を保持するように作用する、項目８〜１３のいずれか１項に記載の電気手術用道具。
（項目１５）
前記筐体の前端区分に形成されるリング受容空洞内に搭載される、２つのゴムまたはゴム様摩擦リングを含み、前記リングは、前記電極の周囲で密着して延在し、選択された位置で前記電極を保持するように作用する、項目８〜１３のいずれか１項に記載の電気手術用道具。
（項目１６）
手術を行う際に使用するための電気手術用ペンシルを製造する方法であって、
前端および後端ならびに前記前端から長さ方向に延在する伸長通路を有する、プラスチックペンシル筐体の組立のために、上部および底部半区分を提供するステップと、
前記ペンシルの電気的動作を制御するための電気回路基板と、前記回路基板の少なくとも１つの端部から延在するよう前記回路基板の底部に固定して接続される、伸長伝導ストリップとを提供するステップと、
前記１つの半区分に対する摺動移動のために、前記２つの半区分のうちの１つの中に電気手術を行うための伸長電極を搭載するステップであって、前記伸長電極は、動作前方区分、絶縁中央区分、および非絶縁後方区分を有する、ステップと、
前記回路基板が前記上部半区分内に位置し、前記伝導ストリップが前記電極の片側に沿って延在し、かつその隣にあるように、前記底部半区分上に前記上部半区分を搭載するステップであって、前記伝導ストリップは、前記電極の前記後方区分と電気的に接触している、ステップと、
前記電極が前記通路から外へ突出するように、前記筐体およびその前端が開放している前記通路を形成するように、前記上部および底部半区分をともに恒久的に結合するステップと、
を含む、方法。
（項目１７）
前記回路基板は、前記回路基板の後端に接続される絶縁電線を有し、前記電線は、前記ペンシル筐体の前記半区分のうちの少なくとも１つの後端に形成される後開口部を通って延在する、項目１６に記載の電気手術用ペンシルを製造する方法。
（項目１８）
前記回路基板を操作するためのロッカースイッチは、前記上部半区分が前記底部半区分に結合された後に、前記上部半区分上に搭載される、項目１６または１７に記載の製造方法。
（項目１９）
前記ペンシル筐体用の前記底部半区分は、一連の離間横リブを伴って形成され、そのうちの少なくともいくつかは、前記電極を受容し、前記伸長通路内で前記電極の摺動移動を誘導するように、整列された溝を伴って形成される、項目１６〜１８のいずれか１項に記載の製造方法。
（項目２０）
前記電極の前記搭載に先立って、金属伝導スリーブが、前記電極の前記後方区分上で摺動され、摩擦嵌合によってその上に保持される、項目１６〜１９のいずれか１項に記載の製造方法。
【図面の簡単な説明】
【００１５】
【図１】図１は、本発明に従って構築された電気手術用（ＥＳＵ）ペンシルの上面図である。
【図２】図２は、ペンシルの長手方向断面図であり、本断面図は、図１の線ＩＩ−ＩＩに沿って得られている。
【図３】図３は、図１のペンシル用の筐体の下半区分の長手方向側面図である。
【図４】図４は、図３に示される筐体の下半分の上面図である。
【図５】図５は、図１のＥＳＵペンシルを構成する主要な構成要素の分解図である。
【図６】図６は、図２に類似するが、拡張位置で電極を示す、長手方向断面図である。
【図７】図７は、図１の線ＩＩ−ＩＩに沿って得られるが、ＥＳＵペンシルの中央区分を示す、断面詳細図である。
【図８】図８は、図４に類似するが、この下部分内に搭載された伸長電極を示す、ペンシル筐体の底部分の平面図である。
【図９】図９は、ペンシル筐体の上部分の底面図であり、本図は、その中に配列された回路基板を示す。
【図１０】図１０は、図９に示される囲まれた領域Ｘの詳細図であり、本図は、回路基板に接続された電力供給線の１つの端部を示す。
【図１１】図１１は、図１の線ＸＩ−ＸＩに沿って得られたＥＳＵペンシルの横断面図である。
【図１２】図１２は、図１の線ＸＩＩ−ＸＩＩに沿って得られたＥＳＵペンシルの別の横断面図である。
【図１３】図１３は、図８の線ＸＩＩＩ−ＸＩＩＩに沿って得られたペンシル筐体の下部分の断面詳細図である。
【図１４】図１４は、図８の丸く囲んだ領域ＸＩＶの詳細図である。
【発明を実施するための形態】
【００１６】
図１、２、および６は、本発明に従って構築される、多くの場合、電気手術用ペンシルと称される、電気手術用道具１０の例示的実施形態を図示する。ＥＳＵペンシル１０は、手術部位上で手術を行う際に使用するためのものである。ペンシルは、訓練を受けたユーザ、例えば、外科医によって握持可能なハンドルを形成する、伸長非伝導性筐体または主要本体１４を含む。筐体は、ユーザによる快適性を容易にするために成形され、その中に形成された中心穴１８を有することができる後端１６、前端２０、および前端から筐体の中へ延在する伸長通路２２を有する。筐体は、ポリエチレン等の好適なプラスチック材料から作製され、示される例示的バージョンでは、上部半区分２４および底部半区分２６を含む、２つの半区分から作製される。これらの区分は、筐体の長さに延在し、超音波溶接または接着結合等のような既知の方法によって、相互に堅く恒久的に取り付けることができる。例示的な図示したペンシル１０は、１回限りの使用のみのために意図され、手術後に処分されることを理解されたい。
【００１７】
底部半区分２６は、図３および４において、また、電気手術を行うための伸長電極が半区分内に搭載されて示されている、図８でも別々に示されている。例示的な図示した電極２８は、伸長通路２２内に搭載され、その中で摺動可能であり、したがって、電極の長手方向位置は、外科医によって露出端部を引くこと、または押すことによって調整可能である。図示した電極は、筐体から突出する動作前方区分３０、絶縁中央区分３２、および非絶縁後方区分３４を有する。中央区分３２は、それ自体が既知の様式において絶縁プラスチックの層で覆うことができ、本プラスチックは、図５の３６で示され、３７における後端から前方端３８まで延在する。示されるように、電極の位置は、筐体内に提供される好適な停止部によって画定することができる後退位置と複数の拡張位置のうちの選択された１つとの間で、ユーザによってその長手方向に調整可能である。電極の拡張位置が、図６および８の両方で示されている。示されるように、電極の前方区分３０は、偏平ブレードとして形成することができる。通常、ブレードの平面は、ペンシル自体が図２および６に示される直立位置にある場合に垂直である。例示的な図示した筐体１４は、底部半区分に一体横リブ４０を伴って形成される。これらの横リブは、図７に断面図で示されている。電極２８を収容し、摺動可能に受容するために、横リブ４０は、中央電極受容溝４４を伴って形成される。また、筐体の底部半区分に沿って長手方向に、溝４４の反対側に位置する２つの内部ガイド壁４６、４８が延在している。これらの壁の後端は、図４および５で見られる開放領域５０を残すように、筐体の後端から離間される。
【００１８】
ＥＳＵペンシルは、電極２８の電気的動作を制御するための電気回路基板５２を含む。電気スイッチ機構５４が、ペンシル上で外部から動作可能であるように、筐体１４用の主要本体部分上に搭載され、回路基板は、本スイッチ機構および回路基板上に搭載された電気プッシュボタンデバイスによって操作される。スイッチ５４は、本出願人の米国特許第６，６１６，６５８号で使用されるものに類似するロッカースイッチであり得る。スイッチ５４は、筐体の最上部上に、かつ回路基板の上方に搭載される、単極双投ロッカー型電気スイッチである。図示したスイッチは、筐体の陥凹区分６０内の２つの穴を通って突出する、２本の下向きに突出するピン５６、５８を有し、本区分は、図５に示されている。１つが図７に６２でみられる、２つの丸い穴が、陥凹区分の対向する端部の近傍に形成される。使用中、スイッチの前方端は、組織を切断するためにより高い周波数の信号を電極に提供するように、外科医によって押されることができ、スイッチの後方端は、組織を焼灼するためにより低い周波数の信号を電極に提供するように押される。所望であれば、スイッチは、電極が１つだけのモードで動作することを目的としている場合、単純なオン・オフスイッチであり得る。
【００１９】
図９および１０で図示されるように、絶縁電線またはワイヤ６６が、電力を回路基板に提供するように筐体の後方区分の中に提供される。本線は、回路基板に取り付けられた２本の小さなワイヤ６８、７０を示す図１０で図示されるように、筐体の後端における開口部１８を通って延在し、回路基板の後端に接続する。２本のワイヤは、絶縁シース７２を通って延在し、図では部分的にしか示されていないが、絶縁シースを含む複合ワイヤ６６は、筐体の後端まで後方に延在し、筐体から出て電源まで延在する。ワイヤ６６は、複数対の下向きの突起７３、７４の間で握持されることによって、上部半区分２４の中の定位置に保持される。図９および１０に示されるように、上部半区分に形成され、均等に離間した、一連のこれらの複数対の下向きの突起７３、７４がある。
【００２０】
回路基板から電極２８に電力を提供するために、伸長伝導ストリップ８０が、回路基板の底部に接続される。ＥＳＵペンシルの例示的バージョンで図５に別個に示されている、本ストリップは、ストリップの１つの端部に隣接して回路基板の底部に溶接またははんだ付けされる。溶接または接続の場所は、図５および９の８２で示される通りである。ストリップ８０は、筐体の伸長通路２２内に固定して搭載され、電極２８の片側に隣接し、それと平行である。さらに、ストリップは、電極の後方区分上に搭載された導電性部材８４と電気的に接触するように、ペンシル筐体によって支持される。本伝導部材の例示的実施形態では、これは、摩擦嵌合を用いて電極上に着脱可能に搭載される分割金属スリーブである。例示的な伝導部材の横断面図が、図１１−１３に示されている。伝導部材は、その１つの外部側面に沿って形成される、少なくとも１つの長手方向フランジ８６を有する。しかしながら、伝導部材の図示した例示的バージョンは、相互と平行に延在し、相互から密接に間隔を置かれた、２つの長手方向フランジ８６を有する。筐体の底部半区分内の前述の横リブ４０は、それぞれ、長手方向フランジ８６を受容し、それによって、それらの長手軸の周囲で導電性部材８４および電極の回転を防止するように定寸および適合される、スロット８８を伴って形成される。
【００２１】
例示的な筐体では、少なくとも一連のスロット８８の領域中の横リブ４０は、伸長通路内の電極２８の摺動移動を促進するように、丸みを帯びた、または面取りした縁を伴って形成される。これらの面取りした縁は、図１４の９０で示され、それらは、伝導部材８４のいずれか一方の端部がリブ４０の縁に引っ掛かることを防止することに役立つ。
【００２２】
ここで、特に図２および１１を参照して、伝導ストリップ８０のための例示的な搭載の形態を説明する。図２に示されるように、伝導ストリップ８０は、回路基板の前端から回路基板の後端の後方の点９２まで延在し、これは、筐体の絶縁プラスチック材料によって筐体の外面から電気的に絶縁されることを理解されたい。伝導ストリップは、電極自体の頂面によって、または伝導部材８４によって後端においてのいずれかで、回路基板の後部に支持される。電極２８が拡張位置まで前方に移動させられたとき、伝導ストリップ８０の後方区分は、底部半区分２６に形成されたガイド壁４６、４８の最上部によって支持されるか、または下向きの移動を妨げられ得る。また、図１１から、伝導ストリップ８０はまた、その長手方向の縁に沿って、かつ上部半区分の下向きの突起７３、７４によって上方から支持されることも分かるであろう。上部半区分の例示的バージョンでは、突起は、それぞれ、それらの底端に切り欠き９５、９６を伴って形成され、これらの切り欠きは、伝導ストリップの長手方向の縁を受容する。したがって、伝導ストリップのいかなる横移動も防止され、伝導ストリップは、上方からその縁で支持される。
【００２３】
ＥＳＵペンシル１０の例示的な形態には、通路２２内の電極２８の必要以上または不要な移動を防止するための機構が提供される。例示的な図示したＥＳＵペンシル１０では、１つまたは２つのゴムまたはゴム様摩擦リング１００が、筐体１４に搭載される。１つまたは複数のリングは、１つが図５で別個に示されている、好適なサイズの１つまたは複数のＯリングの形態をとることができる。好適なチャンバ１０２を、その前端２０に隣接して筐体１４に形成することができる。本チャンバ１０２の底部半分は、図８で見ることができる。筐体の前端の中で可能な２つの摩擦リングを収容するために、随意に、２つのチャンバ１０２を、筐体の前端区分に形成することができる。１つまたは複数の摩擦リングは、電極の周囲で密着して延在し、その長さ方向へ電極を移動させるために電極に印加される十分な力の不存在下で選択された位置で電極を保持するように作用することを理解されたい。１つまたは複数のリングによって生成される摩擦は、摩擦力を克服することによって、外科医が手で電極の位置を変更することを依然として可能にする。
【００２４】
電極が長さ方向で選択された位置を維持することが望ましいだけではなく、電極のブレード端がその配向を維持することもまた望ましい。（図１および２によって示されるように）電極の前方区分３０が平坦であるとき、殆どの外科医は、示されている、つまり、筐体が直立位置で配列された状態で平坦なブレードの面が垂直に延在する、ブレード配向が選択され得る。本直立位置は、概して、伝導部材８４上に形成されたフランジ８６とスロット８８の側面との間の係合によって維持され得る。しかしながら、ペンシルの例示的バージョンでは、その軸の周囲で電極を手動で旋回させ、それによって、ブレードの後端区分と伝導部材８４との間の摩擦力を克服することによって、外科医が平坦なブレードの配向を変更することが可能である。
【００２５】
ＥＳＵペンシルを製造する方法
上記で説明される使い捨てＥＳＵペンシル１０は、妥当な費用で、かつ確実で容易な操作を提供し得る様式で、組み立てて製造することができる。上部および底部半区分２４、２６は、好適な絶縁プラスチック材料から、かつ前端２０および後端１６を伴う完全なペンシル筐体を形成するように２つの半区分がともに組み立てられることを可能にし得る様式で、成形することができる。組み立てられた半区分は、前端から長さ方向に終端する伸長通路を提供する。それ自体がその電子回路に関して既知の構造であり得る電気回路基板が、ペンシル１０の電気的動作を制御するために提供される。伸長伝導ストリップ８０は、本ストリップが回路基板の少なくとも１つの端部から延在し、本端部が図示したペンシル内の後端であるように、回路基板の底部に固定して接続される。
【００２６】
伸長電極２８は、２つの半区分のうちの１つに対する摺動移動のために、（これらの区分の組立に先立って）この１つの半区分内に搭載される。上記で示されるように、図示したペンシルでは、電極は、底部半区分２６内に搭載される。これが半区分内に搭載されるとき、その前方区分３０は、例えば、図１および２に示されるように、半区分の前端から突出する。本配列では、電極が底部半区分内に搭載されると、回路基板５２は、回路基板の底部に堅く取り付けられている伝導ストリップ８０とともに上部半区分２４内に搭載することができる。２つの半区分がともに接合されると、伝導ストリップは、電極の後方区分と電気的に接触するように、電極２８の片側に沿って、かつその隣に配置される。同時に、回路基板の後端に接続された電力ワイヤが、筐体の後部分を通して、かつ後穴１８を通って外に経路をとる。内部構成要素が定位置にあると、上部および底部半区分は、筐体１４および筐体の前端で開放しているその通路２２を形成するように、ともに恒久的に結合することができる。この結合ステップ中に、電極の前端区分は、通路２２から突出する。
【００２７】
筐体がこのようにして完成されると、回路基板を操作するためのロッカースイッチ５４が、筐体の上部半区分上に搭載される。取付目的で、可撓性かつ弾性のクリップが、２本のピン５６、５８の周囲に配列される。クリップのそれぞれは、外向きに延在する端部フランジ１１２を伴って形成される。４つのフランジは、図７に示されるように、それぞれのピンが押し込まれる円形の穴の底縁に係合する。各ピンの底縁は、基板の操作のために回路基板の最上部上に搭載される標準電気プッシュボタン（図示せず）に係合することができる。
【００２８】
本発明は、例示的実施形態、例えば、外科用途で特定の有用性を有する実施形態で具現化されるものとして図示および説明されているが、本発明の範囲からいかようにも逸脱することなく、開示された電気手術用ペンシル、その動作、およびその製造方法の形態および詳細の種々の省略、修正、置換、および変更が当業者によって行われ得ると理解され得るため、本発明は、本明細書で示される詳細に限定されないことが理解されるべきである。例えば、当業者であれば、本発明の範囲から逸脱することなく、種々の他の用途のために本開示を容易に適合し得る。
【図１】
0006435336.tif 000002
【図２】
0006435336.tif 000003
【図３】
0006435336.tif 000004
【図４】
0006435336.tif 000005
【図５】
0006435336.tif 000006
【図６】
0006435336.tif 000007
【図７】
0006435336.tif 000008
【図８】
0006435336.tif 000009
【図９】
0006435336.tif 000010
【図１０】
0006435336.tif 000011
【図１１】
0006435336.tif 000012
【図１２】
0006435336.tif 000013
【図１３】
0006435336.tif 000014
【図１４】
0006435336.tif 000015